(57)【要約】  エアロゾルディスペンサ（１０）のためのテンショニング装置（１２）であって、テンショニング装置（１２）は、搬送管（５２）と、搬送管（５２）の実質的に軸方向のテンショニング動作（３２）からの機械的エネルギーを蓄積するように配置された弾性部材（８４）と、回転可能な部材（１６）と、回転可能な部材（１６）のテンショニング回転（１８）を、搬送管（５２）のテンショニング動作（３２）へと伝達するように構成された伝達機構（４０）とを備え、ここで、伝達機構（４０）は、カム輪郭（４２）、およびカム輪郭（４２）に追従するように配置されたカム従動子（４４）を備え、カム輪郭（４２）は、少なくとも１つのプライミング構造（４６）を備え、テンショニング装置（１２）は、回転可能な部材（１６）のテンショニング回転（１８）による搬送管（５２）のテンショニング動作（３２）中に、カム従動子（４４）が各プライミング構造（４６）を通るとき、搬送管（５２）が初期位置（３０）に向けて一時的なプライミング動作（３４）を行うように構成される。エアロゾルディスペンサ（１０）もまた提供される。
2022502247.tif 000002
【特許請求の範囲】
【請求項１】
エアロゾルディスペンサ（１０）のためのテンショニング装置（１２）であって、
−  液体を、容器（５４）から投与チャンバ（６６）へと搬送するための搬送管（５２）と、
−  初期位置（３０）からテンショニング位置（８６）への前記搬送管（５２）の実質的に軸方向のテンショニング動作（３２）からの機械的エネルギーを蓄積するように配置された弾性部材（８４）と、
−  回転可能な部材（１６）と、
−  前記回転可能な部材（１６）のテンショニング回転（１８）を、前記搬送管（５２）の前記テンショニング動作（３２）へと伝達するように構成された伝達機構（４０）と、を備え、
前記伝達機構（４０）は、カム輪郭（４２）、および前記カム輪郭（４２）に追従するように配置されたカム従動子（４４）を備え、
前記カム輪郭（４２）は、少なくとも１つのプライミング構造（４６）を備え、
前記テンショニング装置（１２）は、前記回転可能な部材（１６）の前記テンショニング回転（１８）を利用した前記搬送管（５２）の前記テンショニング動作（３２）中に、前記カム従動子（４４）が各プライミング構造（４６）を通るとき、前記搬送管（５２）が前記初期位置（３０）に向けて一時的なプライミング動作（３４）を行うように構成される、テンショニング装置（１２）。
【請求項２】
前記少なくとも１つのプライミング構造（４６）の１つは、前記初期位置（３０）に対応する位置から、前記カム輪郭（４２）に沿って、カム輪郭長さ（９２）の１０％未満など、５％未満など、２０％未満に位置する、請求項１に記載のテンショニング装置（１２）。
【請求項３】
前記少なくとも１つのプライミング構造（４６）は、前記初期位置（３０）に対応する位置から、前記テンショニング位置（８６）に対応する位置までの前記カム輪郭（４２）に沿ったカム輪郭長さ（９２）にわたって実質的に均等に配分された複数のプライミング構造（４６）により構成される、請求項１または２に記載のテンショニング装置（１２）。
【請求項４】
前記少なくとも１つのプライミング構造（４６）は、前記回転可能な部材（１６）が、前記テンショニング回転（１８）とは反対の方向に回転するのを阻止するように配置される、請求項１から３のいずれか一項に記載のテンショニング装置（１２）。
【請求項５】
前記搬送管（５２）を保持する可動の保持部材（４８）をさらに備え、前記カム従動子（４４）は、前記保持部材（４８）に対して固定される、請求項１から４のいずれか一項に記載のテンショニング装置（１２）。
【請求項６】
前記カム従動子（４４）は、前記保持部材（４８）と一体化される、請求項５に記載のテンショニング装置（１２）。
【請求項７】
前記カム輪郭（４２）は、螺旋面である、請求項１から６のいずれか一項に記載のテンショニング装置（１２）。
【請求項８】
前記少なくとも１つのプライミング構造（４６）のそれぞれは、突起部により構成される、請求項１から７のいずれか一項に記載のテンショニング装置（１２）。
【請求項９】
前記少なくとも１つのプライミング構造（４６）のそれぞれは、くさび形をしている、請求項８に記載のテンショニング装置（１２）。
【請求項１０】
前記少なくとも１つのプライミング構造（４６）は、前記カム輪郭（４２）の隣接面（９６）に対して、５°から１５°など、５°から３０°の角度のプライミング構造面（９４）を備える、請求項９に記載のテンショニング装置（１２）。
【請求項１１】
前記少なくとも１つのプライミング構造（４６）のそれぞれは、凹部により構成される、請求項１から７のいずれか一項に記載のテンショニング装置（１２）。
【請求項１２】
静止部分（８２）をさらに備え、前記カム輪郭（４２）は、前記静止部分（８２）上に設けられる、請求項１から１１のいずれか一項に記載のテンショニング装置（１２）。
【請求項１３】
前記カム輪郭（４２）は、前記静止部分（８２）と一体化される、請求項１２に記載のテンショニング装置（１２）。
【請求項１４】
前記搬送管（５２）の各プライミング動作（３４）の距離の合計は、前記初期位置（３０）から、前記テンショニング位置（８６）までの前記搬送管（５２）のテンショニング距離（９８）の１５〜３５％など、１５〜２５％など、約２０％など、１０〜５０％である、請求項１から１３のいずれか一項に記載のテンショニング装置（１２）。
【請求項１５】
請求項１から１４のいずれか一項に記載のテンショニング装置（１２）を備えるエアロゾルディスペンサ（１０）。
【発明の詳細な説明】
【技術分野】
【０００１】
本開示は、一般に、エアロゾルディスペンサのためのテンショニング装置に関する。詳細には、エアロゾルディスペンサのためのテンショニング装置、およびテンショニング装置を備えるエアロゾルディスペンサが提供される。
【背景技術】
【０００２】
エアロゾルディスペンサは、エアロゾル、すなわち液体粒子のミストを生成するために使用される。いくつかのエアロゾルディスペンサは、液体を推進するためにガスを使用するが、液体を吐出するために、推進ガスを用いない機械的な解決策を使用するエアロゾルディスペンサもある。
【０００３】
エアロゾルディスペンサの１つのタイプは、ベース、ピストン、搬送管、ばね、投与チャンバ、スプレーノズル、および、例えば薬物を含む容器を備える。ユーザが、ベースを、例えば１８０°回転させたとき、ピストンおよび搬送管は、移動してばねを圧縮する。搬送管が移動すると、投与チャンバが拡大し、その中に加圧状態が確立される。加圧状態は、搬送管により、容器内の液体を投与チャンバの中に吸引させる。ユーザは次いで、ボタンを押し、搬送管を保持するピストンを解放して、用量を、投与チャンバからスプレーノズルを通して、エアロゾルとして吐出することができる。
【０００４】
特許文献１は、流体を加圧するための小型化したデバイスを開示する。デバイスは、流路および弁部材を提供する中空のピストンを含む。弁部材は、弁軸が、ピストン軸に平行な状態のままで軸方向運動を行うように構成される。弁部材は、中空のピストンの一端に配置される。弁部材は、中空のピストン内に部分的に、または完全に配設され得る。デバイスは特に、推進ガスを使用することなく、液体薬剤の吸入可能なエアロゾルを生成するために機械的に動作される噴霧器で使用するのに適合される。
【先行技術文献】
【特許文献】
【０００５】
【特許文献１】米国特許第５９６４４１６Ａ号明細書
【発明の概要】
【発明が解決しようとする課題】
【０００６】
吸入器デバイスなどの従来技術のエアロゾルディスペンサに伴う１つの問題は、細菌増殖である。細菌を除去するために、細菌を様々な空洞部から洗い流すように、専用のプライミングショットを、エアロゾルディスペンサを用いて行うことができる。すなわち、ユーザは、ベースを回してばねに完全にテンションをかけ、空気中へのプライミングショットを行うことができる。しかし、様々な理由で（細菌の危険に気付かない、不注意など）、ユーザは、プライミングショットをスキップするおそれがある。その結果、細菌増殖を伴う問題が残る。
【０００７】
従来技術のエアロゾルディスペンサに伴うさらなる問題は、液体が乾いたときである。エアロゾルディスペンサが、例えば１週間など、しばらくの間動作していない場合、性能は悪化するおそれがある。例えば、吐出されるエアロゾル用量が、液体の蒸発に起因して少なすぎるおそれがあり、あるいはエアロゾルディスペンサの前回の使用からの残留物を洗い流す必要があり得る。この問題はまた、上記で述べた専用のプライミングショットを用いて解決することができる。しかし、この場合もまた、ユーザは、プライミングショットをスキップしてしまうことが多い。
【０００８】
ユーザが、エアロゾルディスペンサを使用する前に毎回、プライミングショットを行う場合であっても、これは、ユーザにとって負担になり、かつ時間のかかることである。少なくともこの理由で、従来技術のエアロゾルディスペンサに伴うさらなる他の問題は、有用性を低下させる。
【０００９】
従来技術のエアロゾルディスペンサに伴うさらに他の問題は、プライミングショットが、液体を多く使用しすぎるおそれのあることである。エアロゾルディスペンサで使用される医療用の液体は低価格のものもあるが、そうではないものもある。
【００１０】
従来技術のエアロゾルディスペンサに伴う他の問題は、患者が、ベースを、回転させている間につかみ損ねた場合、動力ばねは、その機構を最初まで（すなわち、初期位置に）巻き戻して、用量を空中に吐出することになる。
【００１１】
従来技術のエアロゾルディスペンサに伴うさらなる他の問題は、ユーザは、テンショニング装置がテンションのかかった位置に設定されるまで、例えば、１８０°などの比較的大きな角度距離にわたり、連続してベースを回転させる必要のあることである。
【００１２】
従来技術のディスペンサに伴うさらなる他の問題は、ユーザは、テンショニング装置をテンションのかかった位置に設定するために、比較的高い力を用いてベースを回転させる必要のあることである。
【００１３】
本開示の一目的は、エアロゾルディスペンサの向上させたその衛生状態に寄与する、エアロゾルディスペンサのための装置を提供することである。
【００１４】
本開示の他の目的は、エアロゾルディスペンサの向上させた性能に寄与する、エアロゾルディスペンサのための装置を提供することである。
【００１５】
本開示のさらに他の目的は、エアロゾルディスペンサの有用性を向上させる、エアロゾルディスペンサのためのテンショニング装置を提供することである。
【００１６】
本開示のさらに他の目的は、いくつかの、またはすべての前述の目的を、組み合わせて解決する、エアロゾルディスペンサのためのテンショニング装置を提供することである。
【００１７】
本開示のさらに他の目的は、前述の目的のうちの１つ、いくつか、またはすべてのものを解決するエアロゾルディスペンサを提供することである。
【課題を解決するための手段】
【００１８】
一態様によれば、エアロゾルディスペンサのためのテンショニング装置が提供され、テンショニング装置は、液体を、容器から投与チャンバへと搬送するための搬送管と、初期位置からテンショニング位置への搬送管の実質的に軸方向の、または軸方向のテンショニング動作からの機械的エネルギーを蓄積するように配置された弾性部材と、回転可能な部材と、回転可能な部材のテンショニング回転を、搬送管のテンショニング動作へと伝達するように構成された伝達機構と、を備え、ここで、伝達機構は、カム輪郭、およびカム輪郭に追従するように配置されたカム従動子を備え、カム輪郭は、少なくとも１つのプライミング構造を備え、テンショニング装置は、回転可能な部材のテンショニング回転による搬送管のテンショニング動作中に、カム従動子が各プライミング構造を通るとき、搬送管が初期位置に向けて一時的なプライミング動作を行うように構成される。
【００１９】
搬送管がテンショニング動作を行うと、加圧状態が投与チャンバに生成される。この加圧状態は、液体を容器から吸引させ、搬送管により投与チャンバへと送達させる。加えて、カム従動子が、カム輪郭上の少なくとも１つのプライミング構造の上を移動したとき、搬送管は、付加的にわずかな後方または遠位動作、および付加的にわずかな前方または近位動作を行う。わずかな近位動作は、テンショニング動作のテンショニング方向とは反対の解放方向である。搬送管のわずかな前方動作は、エアロゾルディスペンサにおける乾燥空洞部（例えば、エアロゾルディスペンサのスプレーノズルユニットなど）を満たしている液体のわずかな量を吐出させて、細菌もしくは残留物などの異物を押し出す。
【００２０】
それにより、回転可能な部材が回転されたとき、搬送管により行われる少なくとも１つのプライミング動作に起因して、搬送管が容器と液体連通状態にあるとき、少なくとも１つのプライミング機能が実施される。本開示によるテンショニング装置は、したがって、プライミング機構と呼ぶことができる。したがって、テンショニング動作が行われる（すなわち、搬送管が初期位置からテンショニング位置へと移動するように回転可能部材が回転する）と毎回、少なくとも１つのプライミング機能が実施される。したがって、専用のプライミングショットは、回避することができる。
【００２１】
本開示の全体を通して、テンショニング装置は、代替的に、巻取り機構と呼ぶこともできる。少なくとも１つのプライミング構造は、例えば、カム輪郭と一体に形成され得る突き出たプライミング構造など、カム輪郭と一体化することができ、また凹んだプライミング構造を、カム輪郭における切欠きにより形成することができる。
【００２２】
本開示の全体を通して、回転可能な部材は、エアロゾルディスペンサの回転可能なベースによって構成され得る。本開示によるテンショニング装置は、カム輪郭と、カム輪郭に関連付けられたカム従動子と、の１つまたはいくつかの対を備えることができる。代替的に、テンショニング装置は、１つのカム輪郭だけと、カム輪郭に追従するためのいくつかのカム従動子を備えることができる。さらなる代替形態として、テンショニング装置は、いくつかのカム輪郭と、カム輪郭に追従するための１つだけのカム従動子とを備えることができる。少なくとも１つのカム輪郭は、１つまたは複数の傾斜により構成され得る。
【００２３】
少なくとも１つのプライミング構造の１つは、初期位置に対応する位置から、カム輪郭に沿って、カム輪郭長さの１０％未満など、５％未満など、２０％未満に位置することができる。代替的には、または加えて、少なくとも１つのプライミング構造は、初期位置に対応する位置から、テンショニング位置に対応する位置まで、カム輪郭に沿ったカム輪郭長さにわたって実質的に均等に配分された複数のプライミング構造により構成することができる。この場合、テンショニング装置は、回転可能な部材の単一のテンショニング回転中に、複数のわずかなプライミング用量を吐出することができる。
【００２４】
少なくとも１つのプライミング構造は、回転可能な部材が、テンショニング回転とは反対の方向に回転しないように配置することができる。言い換えると、例えば、ユーザが回転可能な部材を手から放した場合など、回転可能な部材を巻き戻すこと、すなわち、テンショニング回転とは反対の方向に回転可能な部材を回転させることは阻止される。ユーザは、それにより、断続的に、すなわち、回転可能な部材の複数の一連のテンショニング回転を用いて、テンショニング装置にテンションを加えることができる。こうすることは、例えば、年配の、かつ／または弱ったユーザを助けることになる。
【００２５】
少なくとも１つのプライミング構造が、回転可能な部材を、テンショニング回転とは反対の方向に回転しないように配置されたとき、テンショニング装置は、プライミングおよび巻戻し阻止機構、または巻戻しを阻止するプライミング巻取り機構と呼ぶことができる。したがって、本開示による少なくとも１つのプライミング構造は、２つの機能を組み合わせて、すなわち、プライミング機能と巻戻し阻止機能を生成することができる。
【００２６】
さらに、少なくとも１つのプライミング構造が、回転可能な部材を、テンショニング回転とは反対方向に回転しないように配置される変形形態は、ラチェット機構により構成することができる。この場合、少なくとも１つのプライミング構造は、ラチェット機構の１つまたは複数の歯を構成することができ、カム従動子は、ラチェット機構の歯止めを構成することができる。したがって、本開示は、テンショニング装置の伝達機構に一体化されたラチェット機構を提供する。
【００２７】
テンショニング装置は、搬送管を保持する可動の保持部材をさらに備えることができ、カム従動子は、保持部材に対して固定され得る。本開示の全体を通して、保持部材は、ピストンと呼ぶことができる。
【００２８】
カム従動子は、保持部材と一体化することができる。カム従動子および保持部材は、例えば、射出成形することができる。
【００２９】
カム輪郭は、螺旋面とすることができる。螺旋面は、例えば、エアロゾルディスペンサの長手方向軸回りで１４０°から１７５°延びることができる。
【００３０】
少なくとも１つのプライミング構造のそれぞれは、突起部により構成され得る。各プライミング構造は、カム輪郭の隣接面から０．２〜０．６ｍｍなど、約０．４ｍｍなど、０．１〜０．８ｍｍ突き出すことができる。
【００３１】
少なくとも１つのプライミング構造のそれぞれは、くさび形のものとすることができる。代替的には、少なくとも１つのプライミング構造のそれぞれは、突き出たノブにより構成され得る。カム輪郭が複数のプライミング構造を備える場合、プライミング構造は、例えば、くさびとノブの組合せを含めて異なることができる。
【００３２】
少なくとも１つのプライミング構造は、カム輪郭の隣接面に対して、５°から１５°など、５°から３０°の角度でプライミング構造面を備えることができる。少なくとも１つのプライミング構造は、例えば、エアロゾルディスペンサの横方向に、カム輪郭の幅にわたって部分的に、または完全に延びることができる。
【００３３】
少なくとも１つのプライミング構造のそれぞれは、凹部により構成され得る。この場合、各凹部は、カム輪郭の隣接面から０．２〜０．６ｍｍなど、約０．４ｍｍなど、０．１ｍｍ〜０．８ｍｍの深さを有することができる。
【００３４】
本開示によるテンショニング装置は、静止部分をさらに備えることができる。この場合、カム輪郭は、静止部分に設けることができる。
【００３５】
カム輪郭は、静止部分と一体化することができる。カム輪郭は、例えば、回転可能な部材に面する静止部分の遠位端に設けることができる。
【００３６】
搬送管の各プライミング動作の距離の合計は、初期位置から、テンショニング位置までの搬送管のテンショニング距離の１５〜３５％など、１５〜２５％など、２０％など、１０〜５０％とすることができる。テンショニング距離は、例えば、８〜１０ｍｍとすることができる。本開示の全体を通して、各プライミング動作の距離の合計は、全体のプライミング距離と呼ぶことができる。
【００３７】
さらなる態様によれば、本開示によるテンショニング装置を備えるエアロゾルディスペンサが提供される。エアロゾルディスペンサは、例えば、吸入器デバイスにより構成され得る。
【００３８】
エアロゾルディスペンサは、投与チャンバを備えることができる。投与チャンバの容積は、搬送管の位置により画定され得る。投与チャンバの容積は、搬送管が、テンショニング動作を行ったとき、拡大することができ、また搬送管がプライミング動作を行ったとき、圧縮され得る。
【００３９】
本開示のさらなる詳細、利点、および態様は、図面と併せて以下の実施形態を読めば明らかになろう。
【図面の簡単な説明】
【００４０】
【図１】テンショニング装置を備えるエアロゾルディスペンサの側面図である。
【図２】エアロゾルディスペンサの上面図である。
【図３】エアロゾルディスペンサの部分的な切欠き斜視図である。
【図４】図２の線Ａ−Ａに沿ったエアロゾルディスペンサの横断面図である。
【図５】エアロゾルディスペンサのハウジングの部分的な斜視図である。
【図６】図５のセクションＢの拡大図である。
【図７】エアロゾルディスペンサの搬送管の例示的な動作の図である。
【発明を実施するための形態】
【００４１】
以下では、エアロゾルディスペンサのためのテンショニング装置と、テンショニング装置を備えるエアロゾルディスペンサとが述べられる。同じ参照数字は、同じ、または同様の構造的特徴を示すために使用される。
【００４２】
図１は、テンショニング装置１２を備えるエアロゾルディスペンサ１０の一例の側面図である。エアロゾルディスペンサ１０は、ハウジング１４と、テンショニング回転１８を行うためにハウジング１４に対して回転できる回転可能な部材１６と、を備える。図１では、回転可能な部材１６は、エアロゾルディスペンサ１０の外側ベースにより構成される。しかし、回転可能な部材１６は、代替的に、例えばエアロゾルディスペンサ１０の中間的な外側部分により構成することもできる。
【００４３】
図１のエアロゾルディスペンサ１０は、ヒンジ２２を介してハウジング１４に接続された開くことのできる蓋２０と、用量ショットをトリガするためのボタン２４とをさらに備える。この例のエアロゾルディスペンサ１０は、エアロゾルディスペンサ１０に残されている用量の数を示す用量インジケータ２６と、エアロゾルディスペンサ１０の搭載状態を示す状態インジケータ２８（例えば、容器が未搭載、または搭載済みなど）と、をさらに備える。
【００４４】
図１では、エアロゾルディスペンサ１０内の針または搬送管（図示略）は、初期位置３０にある。図１は、搬送管に対する軸方向のテンショニング動作３２および軸方向のプライミング動作３４をさらに示している。テンショニング動作３２は、エアロゾルディスペンサ１０の長手方向軸３８に沿ったテンショニング方向３６において行われる。テンショニング方向３６は遠位方向に、すなわち、回転可能な部材１６の方向にあるということができる。図１は、参考のために直交座標系をさらに示す。エアロゾルディスペンサ１０は、しかし、空間において任意に方向付けることができる。
【００４５】
図２は、エアロゾルディスペンサ１０の上面図を示す。図１および図２で分かるように、この例のエアロゾルディスペンサ１０は、概して円筒形を有する。
【００４６】
図３は、エアロゾルディスペンサ１０の部分的な切欠き斜視図を示す。図３の切欠き断面において、テンショニング装置１２は、伝達機構４０を備えることが分かる。伝達機構４０は、回転可能な部材１６のテンショニング回転１８を、エアロゾルディスペンサ１０の長手方向軸３８に沿って、搬送管（図示略）のテンショニング動作３２へと伝達するように構成される。
【００４７】
この例のテンショニング装置１２は、２つのカム輪郭４２（図３において、１つだけが見える）と、２つのカム従動子４４（図３において、１つだけが見える）と、を備え、それぞれが、各カム輪郭４２に追従するように配置される。この例の各カム輪郭４２は、エアロゾルディスペンサ１０の長手方向軸３８と同心の螺旋面である。テンショニング装置１２は、代替的に、カム輪郭４２とカム従動子４４の１対のものだけを、または２対を超えるものを備えることができる。さらなる代替形態として、テンショニング装置１２は、１つだけのカム輪郭４２と、２つ以上のカム従動子４４とを備えることもできる。他の代替形態として、テンショニング装置１２は、２つ以上のカム輪郭４２と、１つだけのカム従動子４４とを備えることができる。
【００４８】
複数のプライミング構造４６が、各カム輪郭４２上に設けられる。各プライミング構造４６は、回転可能な部材１６が、テンショニング回転１８とは反対の方向に回転するのを阻止するように配置される。これは、例えば患者が、テンショニング回転１８を行っているとき、回転可能な部材１６から手を放した場合に有用である。図３の例では、各プライミング構造４６は、突起部により構成される。
【００４９】
図３の切欠き断面において、テンショニング装置１２のピストンすなわち保持部材４８をさらに見ることができる。保持部材４８は、搬送管（図示略）を保持する。図３の例では、２つのカム従動子４４は、保持部材４８に対して固定される。より具体的には、各カム従動子４４は、保持部材４８と一体に形成され、カム輪郭４２の方向に、すなわち近位方向に、長手方向３８と平行に突き出ている。
【００５０】
さらに図３の切欠き断面では、ここでは作動器リングとして実施される、エアロゾルディスペンサ１０の作動器部材５０を見ることができる。作動器部材５０は、作動器部材５０が保持部材４８および搬送管５２が解放されないように妨げるブロック位置と、非ブロック位置と、の間で移動可能である。図３では、作動器部材５０は、非ブロック位置にある。作動器部材５０は、回転可能な部材１６のテンショニング回転１８により、非ブロック位置からブロック位置へと移動することができる。ボタン２４は、作動器部材５０に動作可能に結合される。ボタン２４を押すことにより、作動器部材５０は、ブロック位置から非ブロック位置へと移動することができる、すなわち、作動器部材５０が解放されて、エアロゾルを吐出することができる。
【００５１】
図４は、図２の線Ａ−Ａに沿ったエアロゾルディスペンサ１０の横断面図を表す。図４では、テンショニング装置１２の搬送管５２を見ることができる。エアロゾルディスペンサ１０は、エアロゾルとして投与される、薬物などの液体を含む容器５４を搭載する。
【００５２】
搬送管５２は、容器５４の閉鎖部５６を穿孔しており、それにより、容器５４の液体と連通されている。搬送管５２は、搬送管５２の近位端に、すなわち容器５４に対して反対側の端部に、任意選択の搬送管逆止め弁５８を備える。この例では、容器５４の首部は、保持部材４８のロック構造６０により保持される。ロック構造６０は、ここでは、回転可能な部材１６に向けて保持部材４８から突き出た複数の弾力のあるアームとして例示されている。容器５４は、容器５４の底部を閉じるストッパ６２を備える。
【００５３】
この例のエアロゾルディスペンサ１０は、静止した、すなわち、ハウジング１４に対して静止したポンプシリンダ６４を備える。投与チャンバ６６が、ポンプシリンダ６４内に設けられる。搬送管５２は、投与チャンバ６６の容積を拡大および圧縮するように、前後に移動可能である。ここではＸリングとして例示されている封止６８が、搬送管５２とポンプシリンダ６４の間で封止のために設けられている。封止６８は、代替的にはＯリング、または当技術分野で知られた他のタイプの封止により構成することもできる。
【００５４】
エアロゾルディスペンサ１０は、投与チャンバ６６の近位側にスプレーノズル７１を有するスプレーノズルユニット７０をさらに備える。スプレーノズルユニット７０は、例えばスプレーノズル逆止め弁７２、および薄膜もしくはフィルタ７４を備えることができる。エアロゾルディスペンサ１０は、蓋２０を開くことによってユーザに露出されるマウスピース７６をさらに備える。
【００５５】
図４で見ることができるように、この例の伝達機構４０は、内側スリーブ７８をさらに備える。内側スリーブ７８は、回転可能な部材１６に固定的に接続される。内側スリーブ７８および保持部材４８は、回転可能に結合される。しかし、保持部材４８は、内側スリーブ７８および回転可能な部材１６に対して軸方向に移動可能である。内側スリーブ７８と保持部材４８の間のこのタイプの結合は、例えば、長手方向軸３８と平行なスロットに係合されたピンもしくはリブにより実現することができる。この例の回転可能な部材１６は、容器５４のストッパ６２に接触するための近位方向に突き出たカラー８０を備える。
【００５６】
図４の例では、カム輪郭４２は、ここでは、ハウジング１４の中心部分により構成される静止部分８２上に設けられる。カム輪郭４２は、静止部分８２と一体に形成され、遠位方向に、すなわち、回転可能な部材１６に面している。
【００５７】
カム輪郭４２およびカム従動子４４の構成は、代替的に反対にすることができる。すなわち、カム輪郭４２が保持部材４８上に設けられ、かつカム従動子４４が、静止部分８２上の設けられ得る。
【００５８】
テンショニング装置１２は、ここでは、容器５４を囲む圧縮コイルばねにより構成される、弾性部材８４をさらに備える。弾性部材８４は、図３における初期位置３０から、図４によるテンショニング位置８６まで、保持部材４８および搬送管５２のテンショニング動作３２からの機械的エネルギーを蓄積するように配置される。
【００５９】
図４は、ハウジング１４から遠位方向に突き出ているハウジング停止部８８と、保持部材４８から近位方向に突き出ている保持部材停止部９０と、をさらに示す。弾性部材８４の拡大は、保持部材停止部９０が、ハウジング停止部８８に接触したとき制限される。
【００６０】
回転可能な部材１６が、手動で回転されたとき、任意選択の内側スリーブ７８は、回転可能な部材１６と共に回転する。回転可能な部材１６および内側スリーブ７８のテンショニング回転１８は、保持部材４８の回転へと伝達される。保持部材４８の回転は、カム従動子４４を、関連するカム輪郭４２に沿って移動させる。カム従動子４４とカム輪郭４２の間の協動に起因して、回転可能な部材１６のテンショニング回転１８は、搬送管５２が初期位置３０から図４によるテンショニング位置８６に移動するまで、弾性部材８４の力に抗する、遠位のテンショニング方向３６への搬送管５２および保持部材４８のテンショニング動作３２へと伝達される。
【００６１】
図４では、作動器部材５０はブロック位置にあり、保持部材４８と搬送管５２とをテンショニング位置８６に保持する。この状態において、テンショニング装置１２には、テンションが加えられている。作動器部材５０のブロック位置において、弾性部材８４からの力は、ハウジング１４に対して保持部材４８および作動器部材５０を押す。作動器部材５０は、それにより、保持部材４８とハウジング１４との間に締め付けられる。
【００６２】
搬送管５２が、テンショニング方向３６に移動すると、投与チャンバ６６の容積は拡大して、投与チャンバ６６内に加圧状態が確立される。その結果、搬送管５２により、容器５４内の液体が投与チャンバ６６の中に吸引される。保持部材４８および搬送管５２は、そのとき、作動器部材５０によって、テンショニング位置８６に保持されている。搬送管５２が、テンショニング位置８６にあるとき、投与チャンバ６６の容積は、１回の用量に相当する。
【００６３】
ユーザがボタン２４を押したとき、作動器部材５０は、作動器部材５０がもはや保持部材４８をブロックしないように、その非ブロック位置へと移動する。その結果、弾性部材８４からの力全体が、保持部材４８、搬送管５２、および搬送管逆止め弁５８を介して投与チャンバ６６内の液体に作用する。弾性部材８４における力は、例えば、５〜５０Ｎとすることができる。投与チャンバ６６における高圧は、液体に圧力を加えてスプレーノズル逆止め弁７２、およびスプレーノズルユニット７０のフィルタ７４を通す。液体は、それにより、エアロゾルとして吐出される。投与チャンバ６６における圧力は、約１５〜７５バールとすることができる。従来技術を考慮すると、これは、弾性部材８４として、比較的弱いばねの使用を可能にする。
【００６４】
図５は、エアロゾルディスペンサ１０のハウジング１４の部分的な斜視図を示す。図５では、カム輪郭４２は、カム輪郭長さ９２を備えることが分かる。この例のカム輪郭長さ９２は、長手方向軸３８回りの約１５０°の角度距離にわたって延びる。
【００６５】
正面カム輪郭４２の最も左の近位の位置は、搬送管５２の初期位置３０に対応する。正面カム輪郭４２の最も右の遠位の位置は、搬送管５２のテンショニング位置８６に対応する。
【００６６】
プライミング構造４６は、初期位置３０に対応する位置（この例では、最も左の近位位置）から、テンショニング位置８６に対応する位置（この例では、最も右の遠位位置）まで、カム輪郭長さ９２にわたって均等に配分されている。図５では、カム輪郭４２は、６個のプライミング構造４６を備える。第１のプライミング構造４６、すなわち図５の正面カム輪郭４２の最も左のプライミング構造４６は、搬送管５２の初期位置３０に対応する位置（この例では、最も左の近位位置）から、カム輪郭長さ９２の２０％未満（約１４％）に位置する。上記のことはまた、図５では十分に見ることのできない背部のカム輪郭４２に対しても適用される。
【００６７】
図６は、図５におけるセクションＢの拡大図を表す。図６では、各プライミング構造４６は、くさび形をしていることが分かる。より具体的には、各プライミング構造４６は、カム輪郭４２のその隣接面９６に対して約１０°の角度にあるプライミング構造面９４を備える。
【００６８】
回転可能な部材１６が、手動で回転されて、テンショニング回転１８を行い、またカム従動子４４が、関連するカム輪郭４２に沿って移動するとき、搬送管５２は、概して、初期位置３０からテンショニング位置８６へとテンショニング方向３６にテンショニング動作３２を行う。しかし、カム従動子４４が、関連するカム輪郭４２上のプライミング構造４６の上を移動するとき、搬送管５２は、初期位置３０に向けて、すなわちエアロゾルディスペンサ１０の近位方向に、一時的なプライミング動作３４を行う。各プライミング動作３４は、テンショニング動作３２よりも短い。搬送管５２がプライミング動作３４を行ったとき、投与チャンバ６６は圧縮されて、エアロゾルディスペンサ１０における乾燥空洞部（例えば、スプレーノズルユニット７０）を満たしている液体のわずかな容積（プライミング動作３４の長さに相当する）が吐出され、スプレーノズルユニット７０から、細菌および／または残留物などの異物を押し出す。液体のわずかな容積は、プライミング用量と呼ぶことができる。
【００６９】
図７は、エアロゾルディスペンサ１０の搬送管５２の例示的な動作の図を示す。より具体的には、図７は、搬送管５２のテンショニング動作３２およびプライミング動作３４を、回転可能な部材１６のテンショニング回転１８の関数として示す。
【００７０】
図７は、搬送管５２のテンショニング動作３２の軸方向長さであるテンショニング距離９８をさらに示す。図７では、テンショニング距離９８は、約９．２ｍｍである。
【００７１】
図７は、プライミング動作３４の１つに対するプライミング距離１００をさらに示す。プライミング距離１００は、すべてのプライミング動作３４に対して同じ、または異なることができる。図７では、すべてのプライミング距離１００は、約０．４ｍｍの同じ長さを有する。搬送管５２のすべてのプライミング動作３４の距離の合計は、テンショニング距離９８の約２４％である。
【００７２】
図７の水平線Ｃは、搬送管５２の最もテンションを受ける位置を示す。例えば、約１５０°から１８０°など、回転可能な部材１６の最後のテンショニング回転１８の間に、作動器部材５０は、非ブロック位置からブロック位置へと横方向に押され、それにより、保持部材４８がブロックされる。
【００７３】
本開示が、例示的な実施形態を参照して述べられてきたが、本発明は、上記で述べられたものに限定されないことが理解されよう。例えば、部品の寸法は、必要に応じて変更できることが理解されよう。
【符号の説明】
【００７４】
１０  エアロゾルディスペンサ
１２  テンショニング装置
１４  ハウジング
１６  回転可能な部材
１８  テンショニング回転
２０  蓋
２２  ヒンジ
２４  ボタン
２６  用量インジケータ
２８  状態インジケータ
３０  初期位置
３２  テンショニング動作
３４  プライミング動作
３６  テンショニング方向
３８  長手方向軸
４０  伝達機構
４２  カム輪郭
４４  カム従動子
４６  プライミング構造
４８  保持部材
５０  作動器部材
５２  搬送管
５４  容器
５６  閉鎖部
５８  搬送管逆止め弁
６０  ロック構造
６２  ストッパ
６４  ポンプシリンダ
６６  投与チャンバ
６８  封止
７０  スプレーノズルユニット
７１  スプレーノズル
７２  スプレーノズル逆止め弁
７４  フィルタ
７６  マウスピース
７８  内側スリーブ
８０  カラー
８２  静止部分
８４  弾性部材
８６  テンショニング位置
８８  ハウジング停止部
９０  保持部材停止部
９２  カム輪郭長さ
９４  プライミング構造面
９６  隣接面
９８  テンショニング距離
１００  プライミング距離
【図１】
2022502247.tif 000003
【図２】
2022502247.tif 000004
【図３】
2022502247.tif 000005
【図４】
2022502247.tif 000006
【図５】
2022502247.tif 000007
【図６】
2022502247.tif 000008
【図７】
2022502247.tif 000009
【国際調査報告】
2022502247.tif 000010
2022502247.tif 000011
2022502247.tif 000012
2022502247.tif 000013